(57)【要約】【課題】従来、釘打ち時の緩衝と、固定物への損傷防止等を意図した方法としては、釘の頭部及び／又は杭部にパッキン、又は緩衝部材を設けた構成が、文献で知られている。これらの文献は、単に釘の頭部、杭部等の適宜の部位に、緩衝部材を設けた構造であり、緩衝効果は十分でない。また釘の形状も特定されておらず、釘自体の構造にも問題がある。【手段】杭部と、折曲げ部を備えた平面部、及び平面部に段差部を経由して設けた段部、並びに段部に設けた槌叩き部を備えた頭部でなる釘と、釘の頭部に設けた緩衝部材とで構成した緩衝特性を備えた釘であって、釘の頭部に設けた緩衝部材の基部を、槌叩き部と間隔を有するように設けるとともに、その前方を、頭部の折曲げ部と相手方物体品との接触位置部に設けた緩衝特性を備えた釘である。【選択図】    図１６
2005003041.tif 000002
【特許請求の範囲】
【請求項１】
杭部及び頭部で構成した釘と、この釘の頭部に設けた緩衝部材とで構成した緩衝特性を備えた釘であって、
この釘は、物体に圧入される杭部と、物体品の浮揚防止用折曲げ部を備えた平面部、及びこの平面部に設けた槌叩き部を備える前記杭部に設けた頭部とで構成し、
前記緩衝部材は、その基部を、前記頭部に設けた槌叩き部と間隔を有するように設けるとともに、またその前方を、前記頭部の折曲げ部に位置するように設けたことを特徴とした緩衝特性を備えた釘。
【請求項２】
杭部及び頭部で構成した釘と、この釘の頭部に設けた緩衝部材とで構成した緩衝特性を備えた釘であって、
この釘は、物体に圧入される杭部と、折曲げ部を備えた平面部、及びこの平面部に段差部を経由して設けた段部、並びにこの段部に設けた槌叩き部を備える前記杭部に設けた頭部とで構成し、
前記緩衝部材は、その基部を、前記頭部に設けた槌叩き部と間隔を有するように設けるとともに、また当該その前方を、前記頭部の折曲げ部に設けたことを特徴とした緩衝特性を備えた釘。
【請求項３】
請求項１又は請求項２に記載の緩衝部材を、頭部の平面部に取付けることを特徴とした緩衝特性を備えた釘。
【請求項４】
請求項１又は請求項２に記載の緩衝部材を、頭部に設ける構成であって、この頭部の平面部に、前記緩衝部材の筒部を被嵌することを特徴とした緩衝特性を備えた釘。
【発明の詳細な説明】
【０００１】
【発明の属する技術分野】
本発明は、釘の頭部の所定部位に緩衝部材を設け、釘止めする固定物に傷を付けずに釘打ちができること、又はこの際に、固定物の固止を確実にすること等を目的とした緩衝特性を備えた釘に関する。
【０００２】
【従来の技術】
従来、釘打ち時の緩衝と、固定物への損傷防止等を意図した方法としては、釘の頭及び／又は杭にパッキン、又は緩衝部材を設けた構成が知られている。例えば、特開平９−３２４８１１号の釘及びねじ、また実開昭６２−９６１１０号の釘、又は実開昭６３−５３４２９号のセメント系無機質建築板用釘等の文献がある。これらの文献は、単に釘の頭、杭等の適宜の部位に、緩衝部材を設けた構造であって、その緩衝効果は、必ずしも十分ではない、また釘の形状も特定されておらず、下記に説明する釘自体の問題もある等の如く、問題点が指摘されている。
【０００３】
前記の釘自体の問題点を説明すると、釘頭の平面中央部に平面長さ方向に添って若干の段付き部（盛上り部）を形成し、この段付き部をハンマー、自動釘打ち機等の打撃手段（以下、ハンマーで説明する）を利用して打っている。しかし、ハンマーを打付ける位置決めがないことから、釘の杭の芯より離れた位置を打つことが間々発生する。従って、杭に打付けの荷重が伝わらず、曲折することがあり、また頭の平面部も下方に曲がること等の弊害がある。そして、頭の平面部で固定側の物体（以下、物体とする）を固定するに際し、物体と頭とが面接触していているか否かを目視、又はこの両者間に間隔（隙間）があるか否かを目視することは、極めて困難である。それがために、再度打撃して物体の損傷を招くこと、又はこの損傷を回避するあまり隙間が発生したままで作業を終了し、欠陥問題の発生すること、又は規定（設計）上に基づく釘打ちができないこと等の弊害がある。
【０００４】
そして、この種の釘の改良案として、特開平８−２３２４０４の瓦固定釘がある。その内容は、槌打頭部を頭の隅部に形成し、この槌打頭部の下方に杭部を形成した構成であり、槌打頭部にかかる衝撃荷重を確実に杭部に伝えることを意図する。これにより、槌打頭部の折曲がり防止と、前述の課題解決を意図するものと考えられる。
【０００５】
しかし、この文献発明は、槌打頭部が杭の軸線上（方向）でなく、平面部の基部の一部から平面部の略中央部に至る構成であり、槌打頭部にかかる衝撃荷重を、確実かつスムーズに杭部に伝達するまでに至っていないのが現況である。
【０００６】
【発明が解決しようとする課題】
上記に鑑み、本発明は、断面形状が平面形状、丸形状、角形状でなる釘の頭部の平面部を、ハンマーで打った時に、当該平面部が曲折、破損等を回避する。そのための手段として、例えば、この平面部の最適箇所で、望ましくは、杭部の軸線上の相当位置部に、丸形、多角形等の任意形状の槌叩き部（突起部）を設ける。また物体の損傷防止のために、頭部の平面部に各種形態、又は弾力性、柔軟性等の特性を備えた緩衝部材を接着、差込み、緊締等に手段を利用して設ける。例えば、接着では、相手物体品と接触する位置部に接着剤、成形焼き付け等を利用して設ける。また差込みは、緩衝部材の筒部を、平面部に被嵌する。又は嵌合等に手段を利用して緊締する。尚、物体としては、陶器瓦、金属性瓦等として、その物体の損傷防止を目的とする。
【０００７】
【課題を解決するための手段】
請求項１の発明は、釘の頭部の平面部を、ハンマーで打った時に、当該平面部が曲折、破損等を回避することを意図して、この平面部の最適箇所で、望ましくは、杭部の軸線上の相当位置部に、丸形、多角形等の任意形状の槌叩き部（突起部）を設ける。また物体の損傷防止のために、頭部の平面部に各種形態、又は弾力性、柔軟性等の特性を備えた緩衝部材を接着、差込み、緊締等に手段を利用して設ける。そして、物体の一例である陶器瓦、金属性瓦等の瓦では、釘打ち時、又は葺設後の破損、欠け等の損傷防止を目的とする。尚、この物体は一例であり、釘を使用する場合は、原則として、全ての物体が対象となり得る構造を提供する。
【０００８】
請求項１は、杭部及び頭部で構成した釘と、この釘の頭部に設けた緩衝部材とで構成した緩衝特性を備えた釘であって、
この釘は、物体に圧入される杭部と、物体品の浮揚防止用折曲げ部を備えた平面部、及びこの平面部に設けた槌叩き部を備える前記杭部に設けた頭部とで構成し、
前記緩衝部材は、その基部を、前記頭部に設けた槌叩き部と間隔を有するように設けるとともに、またその前方を、前記頭部の折曲げ部と相手方物体品との接触位置部に設けたことを特徴とした緩衝特性を備えた釘である。
【０００９】
請求項２の発明は、請求項１の目的を達成すること、また釘の平面部の所定の箇所に緩衝部材を設けること、及びこの緩衝部材の効果を最大限発揮すること等を意図する。
【００１０】
請求項２は、杭部及び頭部で構成した釘と、この釘の頭部に設けた緩衝部材とで構成した緩衝特性を備えた釘であって、
この釘は、物体に圧入される杭部と、折曲げ部を備えた平面部、及びこの平面部に段差部を経由して設けた段部、並びにこの段部に設けた槌叩き部を備える前記杭部に設けた頭部とで構成し、
前記緩衝部材は、その基部を、前記頭部に設けた槌叩き部と間隔を有するように設けるとともに、また当該その前方を、前記頭部の折曲げ部と相手方物体品との接触位置部に設けたことを特徴とした緩衝特性を備えた釘である。
【００１１】
請求項３の発明は、請求項１の目的を達成すること、また釘の平面部の所定箇所に緩衝部材を確実に取付けること等を意図する。
【００１２】
請求項３は、請求項１又は請求項２に記載の緩衝部材を、頭部の平面部と相手方物体品との接触位置部に取付けることを特徴とした緩衝特性を備えた釘である。
【００１３】
請求項４の発明は、請求項１の目的を達成すること、また釘の平面部の所定箇所に緩衝部材を確実に取付けること等を意図する。
【００１４】
請求項４は、請求項１又は請求項２に記載の緩衝部材を、頭部に設ける構成であって、この頭部の平面部に、前記緩衝部材の筒部を被嵌することを特徴とした緩衝特性を備えた釘である。
【００１５】
【発明の実施の形態】
本発明の釘１の種類としては、図１〜図８に示した一例が好ましい構造である。以下、詳細に説明する。図１、図２は一般名称がセブン釘（１ａ）と称されており、杭部２と頭部３との構成であり、杭部２に抜け防止用の数個の突起２００と、周辺部に多数の切条２０１を有する。また頭部３には先端の折曲げ部３００を有し、平面部３０１に段差部３０２ａを介して段部３０２と、槌叩き部３０３とが設けられている。そして、この槌叩き部３０３は杭部２の軸芯線２ａに中心部を有する。これによって、釘１の打撃時に発生する荷重を確実かつスムーズに杭部２に伝わる構造とする。図中２０２は杭部２の上方端（頭部３を上にした状態における上方端）に設けた曲り部を示す。また２０３は杭部２の先端を示す。また図３、図４の例は、図１、図２の例と基本的な構造は略同じである。その相違点は、杭部２の構造であり、突起２００及び切条２０１に代り、ネジ２０４を設ける。さらに図５、図６の例は、図１、図２の例と基本的な構造は略同じである。その相違点は、釘１が一般名称のＬ釘（１ｂ）であること、及び杭部２の上方端をストレート部２０２ａとした構造にある。また図７、図８の例は、図１、図２に示したセブン釘（１ａ）のさらに他の変形例であり、段部３０２を省略した構造であり、製造の容易化、低コスト、又は確実な打込み等を意図する。そして、この例は、杭部２にネジ２０４を設けた構造である。またこの例における他の構造は、前記図１、図２の例に準ずる。以上で説明した釘１は一例であり、他の構造の釘（図示せず）においても、本発明の緩衝部材（後述する）を採用できるものは範疇に含まれる。尚、図示しないが、平面部３０１と段部３０２で構成し、槌叩き部３０３を省略した構造も可能である。この例では、製造が容易で、また低コストによる提供と、又は頭部の強度が向上し、風雨や地震等の災害に対する耐久性の向上を図ることを特徴とする。
【００１６】
本発明の緩衝部材１０の種類としては、図９、図１０に示した一例が好ましい構造である。以下、詳細に説明する。▲１▼  図９（イ）〜（ト）の例は、平面部３０１の下側３０１ａに接着、圧着、溶着等の取付け手段で設けるに適する一例であり、（イ）は断面板状の緩衝部１０ａ、（ロ）は断面台形状の緩衝部１０ａ、（ハ）は断面楕円形状の緩衝部１０ａ、（ニ）は断面倒山形状（突片１０００）の緩衝部１０ａ、（ホ）は断面異形形状（突片１０００）の緩衝部１０ａ、（ヘ）は断面膨出形状（突片１０００）の緩衝部１０ａ、（ト）は断面鋸歯形状（鋸歯１００１）を示した各例である。そして、この各例では、それぞれ特徴がある。例えば、（ニ）、（ホ）、（ヘ）の例は、突片の当り面を有する構造であり、緩衝効果が優れている。また（ト）の例は最も緩衝効果が優れている。さらに（イ）、（ロ）、（ハ）の例は、略平面な当り面を有する構造であり、当初より確実な接触が図れて、安心した釘打ちが可能となる。▲２▼  また図１０（イ）〜（ト）の例は、平面部３０１に筒部１００２を被嵌して設けるに適する一例であり、（イ）は筒部１００２と断面板状の緩衝部１０ａ、（ロ）は筒部１００２と断面台形状の緩衝部１０ａ、（ハ）は筒部１００２と断面楕円形状の緩衝部１０ａ、（ニ）は筒部１００２と断面倒山形状（突片１０００）の緩衝部１０ａ、（ホ）は筒部１００２と断面異形形状（突片１０００）の緩衝部１０ａ、（ヘ）は筒部１００２と断面膨出形状（突片１０００）の緩衝部１０ａ、（ト）は筒部１００２と断面鋸歯形状（鋸歯１００１）の緩衝部１０ａを示した各例である。そして、この各例では、それぞれ前述の図９の例に準じた特徴がある。尚、図示しないが、緩衝部材１０を中空状とすることも可能である。この例では、緩衝効果が向上し、低コスト、軽量化、物体との密着性の向上が図れる等の特徴がある。
【００１７】
尚、図１１（イ）、（ロ）〜図１４（イ）、（ロ）は、前述の図９、図１０に示した緩衝部材１０を、図１、図３、図５、図７に示した釘１に装着した全体の一部欠截の側面図である。例えば、▲１▼  図１１（イ）は、図９（イ）に示した緩衝部材１０を図１に示した釘１に設けた例を、また図１１（ロ）は、図１０（イ）に示した緩衝部材１０を図１に示した釘１に設けた例を、それぞれ示している。▲２▼  同様に図１２（イ）は、図９（イ）に示した緩衝部材１０を図３に示した釘１に設けた例を、また図１２（ロ）は、図１０（イ）に示した緩衝部材１０を図３に示した釘１に設けた例を、それぞれ示している。▲３▼  また図１３（イ）は、図９（イ）に示した緩衝部材１０を図５に示した釘１に設けた例を、また図１３（ロ）は、図１０（イ）に示した緩衝部材１０を図５に示した釘１に設けた例を、それぞれ示している。▲４▼  また図１４（イ）は、図９（イ）に示した緩衝部材１０を図７に示した釘１に設けた例を、また図１４（ロ）は、図１０（イ）に示した緩衝部材１０を図７に示した釘１に設けた例を、それぞれ示している。
【００１８】
そして、緩衝部材１０の基部１０ｂは、頭部３の段差部３０２ａに間隔をもって設けられる。この例では略衝止しており、略所定の位置に取付けられる構造となっている。そして、この構造を採用することで、釘１を打込む際に、緩衝部材１０に損傷を与えないこと、又は固定物（例えば、瓦２０）に確実に接触して緩衝効果、割れ防止等に役立つ有益性があること等の特徴がある。またこの緩衝部材１０の前方１０ｃは、例えば瓦等固定する場合、頭部３の折曲げ部３００の内側に位置するように取付けられる構造となっている。そして、この構造を採用することで、緩衝部材１０の抜け防止と、又は固定物と釘１との緩衝効果の確保が図れること、割れ防止等に役立つ有益性があること等の特徴がある。尚、図１１（イ）〜図１４（イ）の例では、緩衝部材１０の固定位置を釘１の下側３０１ａに設けた係止部（図示せず）とする構造、又は接着、溶着等の手段で固止する構造等が考えられる。そして、この例では、釘１の下側３０１ａの一部に、緩衝部材１０を設けた例であるが、この下側３０１ａの全体に、緩衝部材１０を設ける場合もあり得る（他の例も同じ）。また図１１（ロ）〜図１４（ロ）の筒部１００２の例では、緩衝部材１０を槌叩き部３０３に設けないのが原則である。この部位に緩衝部材１０を設けない理由は、この槌叩き部３０３を打撃するので、当該緩衝部材１０を損傷するからである。尚、一例として、この緩衝部材１０を、釘１の下側３０１ａに設けるに際して、その一部又は全部に、緩衝部材１０を設けた例もあり得る。前述の如く、槌叩き部３０３に緩衝部材１０を設けないことで、例えば、緩衝部材１０の破損回避と、問題発生回避等が図れる実益がある。尚、図示しないが、緩衝部材１０の基部１０ｂを、段差部３０２ａに衝止する構造も可能である。
【００１９】
図中２１は屋根地の棧を示す。
【００２０】
【発明の効果】
請求項１の発明は、杭部及び頭部で構成した釘と、釘の頭部に設けた緩衝部材とで構成した緩衝特性を備えた釘であって、釘は、物体に圧入される杭部と、物体品の浮揚防止用折曲げ部を備えた平面部、及びこの平面部に設けた槌叩き部を備える杭部に設けた頭部とで構成し、緩衝部材は、その基部を、頭部に設けた槌叩き部と間隔を有するように設けるとともに、またその前方を、頭部の折曲げ部と相手方物体品との接触位置部に設けたことを特徴とした緩衝特性を備えた釘である。
【００２１】
従って、釘の頭部の平面部を、ハンマーで打った時に、当該平面部が曲折、破損等を回避できること、この平面部の最適箇所で、望ましくは、杭部の軸線上の相当位置部に、丸形、多角形等の任意形状の槌叩き部を設けたことを特徴とする。また物体の損傷防止のために、頭部の平面部に各種形態、又は弾力性、柔軟性等の特性を備えた緩衝部材を接着、差込み、緊締等に手段を利用して設け得ること、又は物体の一例である陶器瓦、金属性瓦等の瓦では、釘打ち時、又は葺設後の破損、欠け等の損傷防止が図れること等の実益がある。
【００２２】
請求項２の発明は、杭部及び頭部で構成した釘と、釘の頭部に設けた緩衝部材とで構成した緩衝特性を備えた釘であって、釘は、物体に圧入される杭部と、折曲げ部を備えた平面部、及びこの平面部に段差部を経由して設けた段部、並びに段部に設けた槌叩き部を備える杭部に設けた頭部とで構成し、緩衝部材は、その基部を、頭部に設けた槌叩き部と間隔を有するように設けるとともに、またその前方を、頭部の折曲げ部と相手方物体品との接触位置部に設けたことを特徴とした緩衝特性を備えた釘である。
【００２３】
従って、請求項２は、請求項１の目的を達成できること、また釘の平面部の所定の箇所に緩衝部材を設け得ること、及びこの緩衝部材の効果を最大限発揮できること等の特徴がある。
【００２４】
請求項３の発明は、請求項１又は請求項２に記載の緩衝部材を、頭部の平面部と相手方物体品との接触位置部に取付けることを特徴とした緩衝特性を備えた釘である。
【００２５】
従って、請求項１の目的を達成できること、また釘の平面部の所定箇所に緩衝部材を確実に取付け得ること等の特徴がある。
【００２６】
請求項４の発明は、請求項１又は請求項２に記載の緩衝部材を、頭部に設ける構成であって、頭部の平面部に、緩衝部材の筒部を被嵌することを特徴とした緩衝特性を備えた釘である。
【００２７】
従って、請求項４は、請求項１の目的を達成できること、また釘の平面部の所定箇所に緩衝部材を確実に取付け得ること等の特徴がある。
【図面の簡単な説明】
【図１】本発明の第１の例を示したセブン釘の全体を示す側面図である。
【図２】図１の例の平面図である。
【図３】本発明の第２の例を示したセブン釘の全体を示す側面図である。
【図４】図３の例の平面図である。
【図５】本発明の第３の例を示したＬ釘の全体を示す側面図である。
【図６】図５の例の平面図である。
【図７】本発明の第４の例を示したセブン釘の全体を示す側面図である。
【図８】図７の例の平面図である。
【図９】（イ）〜（ト）は第１の緩衝部材の各例を示した断面図である。
【図１０】（イ）〜（ト）は第２の緩衝部材の各例を示した断面図である。
【図１１】（イ）、（ロ）は第１、第２の緩衝部材と、第１の釘との関係を示した一部欠截の側面図である。
【図１２】（イ）、（ロ）は第１、第２の緩衝部材と、第２の釘との関係を示した一部欠截の側面図である。
【図１３】（イ）、（ロ）は第１、第２の緩衝部材と、第３の釘との関係を示した一部欠截の側面図である。
【図１４】（イ）、（ロ）は第１、第２の緩衝部材と、第４の釘との関係を示した一部欠截の側面図である。
【図１５】図９の第１の緩衝部材と各釘との関係を示した断面図である。
【図１６】図１０の第２の緩衝部材と各釘との関係を示した断面図である。
【図１７】和形瓦と釘等との関係を示した斜視図である。
【図１８】平板瓦と釘等との関係を示した斜視図である。
【符号の説明】
１          釘
１ａ          セブン釘
１ｂ          Ｌ釘
２          杭部
２ａ          軸芯線
２００        突起部
２０１        切条
２０２        曲り部
２０２ａ        ストレート部
２０３        先端
２０４        ネジ
３          頭部
３００        折曲げ部
３０１        平面部
３０１ａ        下側
３０２        段部
３０２ａ        段差部
３０３        槌叩き部
１０          緩衝部材
１０ａ        緩衝部
１０ｂ        基部
１０ｃ        前方
１０００        突片
１００１        鋸歯
１００２        筒部
２０          瓦
２１          棧
【図１】
2005003041.tif 000003
【図２】
2005003041.tif 000004
【図３】
2005003041.tif 000005
【図４】
2005003041.tif 000006
【図５】
2005003041.tif 000007
【図６】
2005003041.tif 000008
【図７】
2005003041.tif 000009
【図８】
2005003041.tif 000010
【図９】
2005003041.tif 000011
【図１０】
2005003041.tif 000012
【図１１】
2005003041.tif 000013
【図１２】
2005003041.tif 000014
【図１３】
2005003041.tif 000015
【図１４】
2005003041.tif 000016
【図１５】
2005003041.tif 000017
【図１６】
2005003041.tif 000018
【図１７】
2005003041.tif 000019
【図１８】
2005003041.tif 000020